(57)【要約】【課題】ユーザが、簡単な操作で、テープ印刷装置に記憶されたキャラクタの一覧を印刷することができるテープ印刷装置および印刷方法を提供する。【解決手段】分類された複数種類のカテゴリと、複数種類のカテゴリそれぞれに属する複数のキャラクタと、を記憶する記憶手段４４と、複数種類のカテゴリの中から、１以上のカテゴリを指定するためのカテゴリ指定手段ＣＭＤと、指定された１以上のカテゴリに属するキャラクタ全ての印刷を指示する印刷指示手段１６と、印刷指示手段１６の指示により、印刷対象となるキャラクタの一覧を印刷媒体に印刷する一覧印刷手段２６と、を備える。【選択図】図５
2010076121.tif 000002
【特許請求の範囲】
【請求項１】
分類された複数種類のカテゴリと、前記複数種類のカテゴリそれぞれに属する複数のキャラクタと、を記憶する記憶手段と、
前記複数種類のカテゴリの中から、１以上のカテゴリを指定するためのカテゴリ指定手段と、
指定された前記１以上のカテゴリに属するキャラクタ全ての印刷を指示する印刷指示手段と、
前記印刷指示手段の指示により、印刷対象となるキャラクタの一覧を印刷媒体に印刷する一覧印刷手段と、を備えたことを特徴とするテープ印刷装置。
【請求項２】
前記印刷対象となるキャラクタの印刷サイズを設定するための印刷サイズ設定手段をさらに備え、
前記一覧印刷手段は、
設定された前記印刷サイズに基づいて、前記印刷対象となるキャラクタの一覧を印刷することを特徴とする請求項１に記載のテープ印刷装置。
【請求項３】
前記一覧印刷手段は、
前記印刷媒体に対して、前記カテゴリ指定手段により指定された各カテゴリの名称、前記印刷対象となるキャラクタの印刷サイズ、および当該指定された各カテゴリにおけるキャラクタの登録順序を示す登録番号のうち、少なくとも１つをさらに印刷することを特徴とする請求項１または２に記載のテープ印刷装置。
【請求項４】
前記カテゴリ指定手段により指定された各カテゴリに属する複数のキャラクタを選択候補として表示する候補表示手段をさらに備え、
前記記憶手段は、前記候補表示手段により前記選択候補として表示されないキャラクタである隠しキャラクタを含めて記憶しており、
前記印刷対象となるキャラクタは、前記隠しキャラクタを含むことを特徴とする請求項１ないし３のいずれか１項に記載のテープ印刷装置。
【請求項５】
分類された複数種類のカテゴリと、前記複数種類のカテゴリそれぞれに属する複数のキャラクタと、を記憶するテープ印刷装置の印刷方法であって、
前記複数種類のカテゴリの中から、１以上のカテゴリを指定するためのカテゴリ指定ステップと、
指定された前記１以上のカテゴリに属するキャラクタ全ての印刷を指示する印刷指示により、印刷対象となるキャラクタの一覧を印刷媒体に印刷する一覧印刷ステップと、を備えたことを特徴とする印刷方法。
【発明の詳細な説明】
【技術分野】
【０００１】
本発明は、記号・図柄等のキャラクタを予め記憶し、ユーザの操作により当該キャラクタを印刷することができるテープ印刷装置および印刷方法に関するものである。
【背景技術】
【０００２】
従来、ユーザにより入力されたキャラクタをテープ等の印刷媒体に印刷し、ラベルを作成するテープ印刷装置が知られている。このテープ印刷装置には、その記憶部（キャラクタジェネレータＲＯＭ（ＣＧ−ＲＯＭ））に、予め様々な記号や図柄（絵文字）等が用意されており（搭載されており）、ユーザは、これらの中から所望の記号や図柄を選択して、当該記号や図柄の画面表示や印刷を行う（例えば、特許文献１参照）。
【特許文献１】特開平０６−１４３６９０号公報
【発明の開示】
【発明が解決しようとする課題】
【０００３】
ところで、上記のテープ印刷装置には、膨大な数の記号や図柄が搭載されているため、ユーザがこれら全てを把握することは困難である。このため、テープ印刷装置の取扱説明書等には、搭載されている記号や図柄の一覧表が掲載されており、ユーザはこの一覧表を参照して、所望の記号や図柄を選ぶことが一般的である。しかしながら、この一覧表は、記号や図柄を特定の文字サイズで印刷したイメージであるため、実際の印刷結果と必ずしも一致するとは限らないという問題がある。また、テープ印刷装置の種類によっては、取扱説明書に掲載された記号や図柄のデザインとは異なるデザインの記号や図柄が搭載されている場合がある。この場合、所有する装置にどのような記号や図柄が搭載されているかを知るためには、ユーザがキーボードなどを操作して、当該記号や図柄の候補を１つずつ表示して確認するか、印刷してみるしかなかった。
【０００４】
本発明は、上記の問題に鑑みたものであり、ユーザが、簡単な操作で、テープ印刷装置に記憶されたキャラクタの一覧を印刷することができるテープ印刷装置および印刷方法を提供することを目的とする。
【課題を解決するための手段】
【０００５】
本発明のテープ印刷装置は、分類された複数種類のカテゴリと、複数種類のカテゴリそれぞれに属する複数のキャラクタと、を記憶する記憶手段と、複数種類のカテゴリの中から、１以上のカテゴリを指定するためのカテゴリ指定手段と、指定された１以上のカテゴリに属するキャラクタ全ての印刷を指示する印刷指示手段と、印刷指示手段の指示により、印刷対象となるキャラクタの一覧を印刷媒体に印刷する一覧印刷手段と、を備えたことを特徴とする。
【０００６】
また、本発明の印刷方法は、分類された複数種類のカテゴリと、複数種類のカテゴリそれぞれに属する複数のキャラクタと、を記憶するテープ印刷装置の複数種類のカテゴリの中から、１以上のカテゴリを指定するためのカテゴリ指定ステップと、指定された１以上のカテゴリに属するキャラクタ全ての印刷を指示する印刷指示により、印刷対象となるキャラクタの一覧を印刷媒体に印刷する一覧印刷ステップと、を備えたことを特徴とする。
【０００７】
これらの構成によれば、複数のキャラクタを複数種類のカテゴリに分類して記憶すると共に、これら複数種類のカテゴリの中から１以上のカテゴリを指定し、当該カテゴリに属するキャラクタの一覧を印刷することができる。これにより、ユーザは、自身の所有するテープ印刷装置に、どのようなキャラクタ（記号や図柄等）が搭載されているかを容易に把握することができると共に、搭載されているキャラクタの正確なデザイン（実際に印刷した場合のデザイン）を確認することができる。
また、キャラクタを複数種類のカテゴリに分類することで、ユーザは同系統のキャラクタの一覧（類似する意味合いを持つキャラクタの一覧）を簡単に印刷でき、利便性が良い。また、必要なカテゴリのみを印刷対象とすることができるため、印刷媒体を無駄にすることがない。
【０００８】
本発明のテープ印刷装置において、印刷対象となるキャラクタの印刷サイズを設定するための印刷サイズ設定手段をさらに備え、一覧印刷手段は、設定された印刷サイズに基づいて、印刷対象となるキャラクタの一覧を印刷することが好ましい。
【０００９】
この構成によれば、印刷対象となるキャラクタの印刷サイズ（文字サイズ）を設定し、この設定に基づいてキャラクタ一覧を印刷する。これにより、ユーザのニーズに合った文字サイズでキャラクタ一覧を印刷することができる。例えば、同一カテゴリに属するキャラクタ一覧を異なる文字サイズで複数印刷しておくことで、ユーザの所望する文字サイズで対象となるキャラクタを印刷すると、どのように印刷されるのかを容易に確認することができ、利便性が良い。
【００１０】
本発明のテープ印刷装置において、一覧印刷手段は、印刷媒体に対して、カテゴリ指定手段により指定された各カテゴリの名称、印刷対象となるキャラクタの印刷サイズ、および当該指定された各カテゴリにおけるキャラクタの登録順序を示す登録番号のうち、少なくとも１つをさらに印刷することが好ましい。
【００１１】
この構成によれば、カテゴリ名称や印刷サイズを付加して印刷することで、印刷したキャラクタ一覧が、どのカテゴリに属しているのか、どれくらいのサイズ（文字サイズ）で印刷したものか、を把握することができるため利便性が良い。また、キャラクタの登録順序を付加することで、対象となるキャラクタが、その属するカテゴリの中の何番目にあるのかを容易に知ることができるため、ユーザが当該キャラクタを選択する際の目安となり利便性が良い。
【００１２】
本発明のテープ印刷装置において、カテゴリ指定手段により指定された各カテゴリに属する複数のキャラクタを選択候補として表示する候補表示手段をさらに備え、記憶手段は、候補表示手段により選択候補として表示されないキャラクタである隠しキャラクタを含めて記憶しており、印刷対象となるキャラクタは、隠しキャラクタを含むことが好ましい。
【００１３】
この構成によれば、通常では選択候補として表示されない隠しキャラクタを含めて印刷することができる。一般的に、製造工程やソフト開発工程では、テープ印刷装置（製品）に搭載されているキャラクタのチェック（キャラクタが正常に記憶されているか否か）を行う。この時、装置に搭載されているが、ユーザは使用できないキャラクタ（通常の操作では、選択候補として表示されず、また印刷もおこなうことができないキャラクタ。以下、「隠しキャラクタ」と称す。）のチェックも行う必要がある。そこで、本発明のように、隠しキャラクタを含めて印刷できるようにすることで、製造工程やソフト開発工程において、単にキャラクタが正常に記憶されているか否かだけではなく、実際の印刷結果についてもチェックを行うことができる。
【発明を実施するための最良の形態】
【００１４】
以下、本発明の一実施形態について、添付図面を参照しながら詳細に説明する。図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００１５】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサ等と同様である。
【００１６】
機能キー群３ｂは、印刷実行を指示するための［印刷］キー１１、カーソル移動（スクロール）操作を行うためのカーソルキー（［↓］，［↑］，［←］，［→］）１２、選択候補の選択および確定操作を行うための[選択]キー１３、選択候補の選択をキャンセルする[削除]キー１４、印刷する文字や文字列についての段落スタイル（縦・横表記や文字サイズ等）を選択するための[段落スタイル]キー１５（印刷サイズ設定手段）、記憶（搭載）されたキャラクタの一覧を印刷するための[一覧印刷]キー１６（印刷指示手段）などを有している。なお、これらのキー入力は、一般的なキーボードと同様に、キー入力毎に個別にキーを設けても良いし、シフトキー等と組み合わせてより少ない数のキーを用いて入力するようにしても良い。
【００１７】
表示画面５は、液晶ディスプレイであり、ユーザがキーボード３を用いて入力した入力情報に基づく編集結果、および当該編集結果に基づいて生成された印刷データ等を確認したりする際に用いられる。
【００１８】
装置ケース２の左側部には、カートリッジ装着部６と外部とを連通するテープ排出口２１が形成され、このテープ排出口２１には、送り出した印刷テープＴを切断するためのテープカッタ２２が臨んでいる。そして、テープ排出口２１から印刷済みの印刷テープＴが所定長さだけ送り出され、送りを一旦停止させた状態で、この印刷済みの印刷テープＴをテープカッタ２２により切断されて短冊状のラベルを作成する。なお、切断処理については、自動カットをするまたはしないの選択肢によりカッタモータ２３（図２参照）の駆動を設定できる。
【００１９】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモータ３０（図２参照）が内蔵されている。
【００２０】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４を覆うヘッドカバー２５に差し込まれるための貫通孔３４が形成されている。さらに、貫通孔３４に差し込まれたヘッドユニット２４は印刷テープＴとインクリボンＲとが重なる部分に対応して、前記プラテン駆動軸２７に嵌合されて回転駆動するプラテンローラ３５が配置されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２１】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラ３５に当接して印刷が可能になる。その後、ユーザが表示画面５の編集結果を確認しながらキーボード３により所望のテキスト（文字、数字、記号、図柄（簡易図形）等のキャラクタ）や画像を入力し、印刷を指示すると、テープ印刷装置１は、テープ送りモータ３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモータ３０は、余白分を含むテープ長さの位置まで印刷テープＴの送りを行った後、その送りを停止する（その後、切断処理に移行する）。
【００２２】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサ（マイクロスイッチ等）３７（図２参照）が、複数設けられており、このテープ識別センサ３７により複数の孔の状態を検出することで、テープ種別を判別できるようになっている。
【００２３】
次に、図２の制御ブロック図を参照し、テープ印刷装置１の制御構成について説明する。テープ印刷装置１は、中央処理装置であるＣＰＵ（Central Processing Unit）４１、ＲＡＭ（Random Access Memory）４２、ＲＯＭ（Read Only Memory）４３、キャラクタジェネレータＲＯＭ（ＣＧ−ＲＯＭ，記憶手段）４４、フラッシュＲＯＭ４５、表示画面５（候補表示手段）、キーボード３、カッタモータ２３、テープカッタ２２、テープ送りモータ３０、印刷ヘッド２６、およびテープ識別センサ３７を備え、これらはシステムバス４６を介して接続されている。
【００２４】
ＲＯＭ４３は、ＣＰＵ４１が各種制御を行うための制御プログラムおよび制御データを記憶している。ＲＡＭ４２は、ＣＰＵ４１と直接接続されており、ＣＰＵ４１が各種制御を行う際のワークエリアとして用いられる。
【００２５】
ＣＧ−ＲＯＭ４４は、当該テープ印刷装置１に搭載（用意）されている文字、記号や図柄等の複数のキャラクタ（キャラクタのドットパターン）を記憶するものであり、これら複数のキャラクタは、分類された複数種類のカテゴリ別に記憶されている。また、各キャラクタには、所属するカテゴリにおける当該キャラクタの登録順序を示す登録番号Ｎ（図４（ｂ）参照）が割り当てられており、ＣＰＵ４１は、カテゴリに属する複数のキャラクタを選択候補として表示する場合、この登録番号Ｎの順番で表示を行う。
【００２６】
フラッシュＲＯＭ４５は、キャラクタが属するカテゴリ一覧と、各カテゴリを特定する識別子（後述する大カテゴリ識別子５３および小カテゴリ識別子５４，図３参照）が関連付けられたカテゴリ分類テーブル４７を記憶する（詳細は後述する）。
【００２７】
キーボード３は、各種情報を入力するための情報入力手段、並びに各種指定および設定を行うための指定・設定手段として機能する。また、キーボード３（文字キー群３ａ）は、各カテゴリに属するキャラクタの一覧を印刷する際に、その印刷対象となるカテゴリを指定するためのコマンド（カテゴリ指定手段。以下、「一覧印刷コマンドＣＭＤ（図４参照）」と称す。）を入力する手段として機能する（詳細は後述する）。
【００２８】
表示画面５は、ユーザがテキスト等を入力・編集した結果を表示する。また、ユーザが所望のカテゴリを選択した場合、当該カテゴリに属する複数のキャラクタを選択候補として表示する。さらに、表示画面５は、上述の一覧印刷コマンドＣＭＤの入力結果を表示する。
【００２９】
カッタモータ２３は、テープカッタ２２と接続され、切断手段として機能する。また、テープ送りモータ３０および印刷ヘッド２６は、印刷テープＴ上に印刷を行うための印刷手段（一覧印刷手段）として機能する。上記のとおり、印刷ヘッド２６およびテープ識別センサ３７は、カートリッジ装着部６に設けられ、テープ識別センサ３７は、テープカートリッジＣに収容された印刷テープＴの種別を検出する。
【００３０】
ここで、図３を参照して、カテゴリ分類テーブル４７について説明する。なお、ここでは、記号および図柄のキャラクタに関するカテゴリ分類テーブル４７について説明する。図３に示すように、カテゴリ分類テーブル４７には、「“記述”、“省略”、“カッコ”、・・・、“病院”」等、各キャラクタ（記号および図柄）の使用用途によって分類されたカテゴリ（小カテゴリ５２）と、各々の小カテゴリ５２を特定するための小カテゴリ識別子５４（ここでは、番号「０１」〜「３５」）とが関連付けられている。また、これらの小カテゴリ５２は、その上位のカテゴリである大カテゴリ５１（ここでは、「記号」カテゴリ）に属しており、この大カテゴリ５１には、当該大カテゴリ５１を特定する大カテゴリ識別子５３（ここでは、「Ｋｉｇｏｕ」）が関連付けられている。
【００３１】
次に、図４を参照して、対象となるカテゴリに属するキャラクタ一覧を印刷する一覧印刷コマンドＣＭＤ、および当該コマンドを用いたキャラクタ一覧の印刷結果について説明する。図４（ａ）に示すように、一覧印刷コマンドＣＭＤは、対象となるカテゴリに属するキャラクタの内、当該テープ印刷装置１で使用可能なキャラクタの一覧（隠しキャラクタを除くキャラクタ一覧）を印刷するための第１一覧印刷コマンドＣＭＤ１、および対象となるカテゴリに属する隠しキャラクタを含めた全てのキャラクタ一覧を印刷する第２一覧印刷コマンドＣＭＤ２を有している。
【００３２】
第１一覧印刷コマンドＣＭＤ１は、「“大カテゴリ識別子５３”＋“小カテゴリ識別子５４”」の形式で指定することができ、このコマンドの入力後に「一覧印刷」キー１６を押すことで、大カテゴリ識別子５３で指定された大カテゴリ５１の中の、小カテゴリ識別子５４で指定された小カテゴリ５２に属する隠しキャラクタを除くキャラクタのキャラクタ一覧を印刷する。
【００３３】
一方、第２一覧印刷コマンドＣＭＤ２は、「“大カテゴリ識別子５３”＋“Ｔ”＋“小カテゴリ識別子５４”」の形式で指定することができ、このコマンドの入力後に「一覧印刷」キー１６を押すことで、大カテゴリ識別子５３で指定された大カテゴリ５１の中の、小カテゴリ識別子５４で指定された小カテゴリ５２に属する隠しキャラクタを含む全てのキャラクタ一覧を印刷する。なお、上述の第１および第２一覧印刷コマンドＣＭＤ１、ＣＭＤ２における「＋」記号は、前後の入力項目を合わせて１つのコマンドにするという意味合いのものであり、実際に「＋」記号を入力するものではない。
【００３４】
図４（ｂ）は、カテゴリ「公共表示５２ａ（図３参照）」に属するキャラクタ一覧の印刷結果（キャラクタ一覧を印刷したラベルＬ）を示す図である。このラベルＬは、第１一覧印刷コマンドＣＭＤ１の形式に則り、「記号」カテゴリ（大カテゴリ５１）を特定する大カテゴリ識別子５３「Ｋｉｇｏｕ」と、「公共表示５２ａ」カテゴリ（小カテゴリ５２）を特定する小カテゴリ識別子５４を示す「０９」とを入力し（つまり、「Ｋｉｇｏｕ０９」と入力し）、「一覧印刷」キー１６を押すことで印刷することができる。
【００３５】
このラベルＬは、キャラクタ印刷領域６２と基本情報印刷領域６１とを有しており、キャラクタ印刷領域６２には、カテゴリ「公共表示５２ａ」に属するキャラクタの一覧が印刷される。一方、基本情報印刷領域６１には、印刷されたキャラクタ一覧が属するカテゴリ名６３（カテゴリの名称）、印刷されたキャラクタ数６４、印刷したキャラクタの文字サイズ６５（印刷サイズ）、および各キャラクタの登録番号Ｎが印刷される。
【００３６】
このように、キャラクタ一覧と共に、カテゴリ名６３や文字サイズ６５を付加して印刷することで、印刷したキャラクタ一覧が、どのカテゴリに属しているのか、どれくらいのサイズで印刷したものか、を把握することができるため利便性が良い。また、キャラクタの登録番号Ｎを付加することで、対象となるキャラクタが、所属するカテゴリの中の何番目にあるのかを容易に知ることができるため、ユーザが当該キャラクタを選択する際の目安となり利便性が良い。
【００３７】
なお、上述の文字サイズ６５は、ユーザが、[段落スタイル]キー１５を操作することにより、所望のサイズを指定することができる。これにより、ユーザのニーズに合った文字サイズ６５でキャラクタ一覧を印刷することができる。例えば、同一カテゴリに属するキャラクタ一覧を異なる文字サイズ６５で複数印刷しておくことで、ユーザの所望する文字サイズ６５で対象となるキャラクタを印刷すると、どのように印刷されるのかを容易に確認することができ、利便性が良い。
【００３８】
また、図４（ｂ）では、文字サイズ６５が４８ｄｏｔに指定されており、キャラクタ印刷領域６２にキャラクタ一覧を１行で印刷した結果を示しているが、例えば、ユーザにより、小さな文字サイズ６５が指定された場合（例えば、１６ｄｏｔ）、図４（ｃ）に示すように、キャラクタ印刷領域６２に印刷するキャラクタ一覧を複数行にわたって印刷するようにしても良い。また、図４（ｂ）および（ｃ）におけるキャラクタ印刷領域６２および基本情報印刷領域６１の位置関係は、あくまでも一例であり、これに限るものではない。
【００３９】
次に、図５のフローチャートを参照して、キャラクタ一覧を印刷する手順（印刷方法）について説明する。なお、上述のカテゴリ分類テーブル４７の内容は、テープ印刷装置１の取扱説明書等に掲載されており、ユーザはこれを参照して、一覧印刷は所望するカテゴリの大カテゴリ識別子５３および小カテゴリ識別子５４を指定する。
【００４０】
まず、ユーザ（一般ユーザまたは製造元の担当者）により一覧印刷コマンドＣＭＤが入力され（Ｓ０１）、続いて、[一覧印刷]キー１６が押されると（Ｓ０２）、テープ印刷装置１は、入力された一覧印刷コマンドＣＭＤを解読して、コマンドの種類を判別する（Ｓ０３）。入力されたコマンドが第１一覧印刷コマンドＣＭＤ１である場合（Ｓ０４；Ｙｅｓ）、テープ印刷装置１は、当該コマンドに基づいてカテゴリ分類テーブル４７を参照し、印刷対象となるカテゴリを特定する（Ｓ０５）。そして、特定したカテゴリに属する隠しキャラクタを除くキャラクタ一覧を印刷する（Ｓ０６）。一方、入力されたコマンドが第２一覧印刷コマンドＣＭＤ２である場合（Ｓ０４；Ｎｏ）、テープ印刷装置１は、当該コマンドに基づいてカテゴリ分類テーブル４７を参照し、印刷対象となるカテゴリを特定する（Ｓ０７）。そして、特定したカテゴリに属する隠しキャラクタを含む全てのキャラクタ一覧を印刷する（Ｓ０８）。
【００４１】
以上のように、本実施形態によれば、複数種類のカテゴリの中から１のカテゴリを指定し、当該カテゴリに属するキャラクタの一覧を印刷することができる。これにより、ユーザは、自身の所有するテープ印刷装置１に、どのようなキャラクタ（記号や図柄等）が搭載されているかを容易に把握することができると共に、搭載されているキャラクタの正確なデザイン（実際に印刷した場合のデザイン）を確認することができる。また、キャラクタを複数種類のカテゴリに分類することで、ユーザは同系統のキャラクタの一覧（類似する意味合いを持つキャラクタの一覧）を印刷でき、利便性が良い。また、必要なカテゴリのみを印刷対象とすることができるため、印刷テープＴ（印刷媒体）を無駄にすることがない。
【００４２】
また、一覧印刷コマンドＣＭＤ（第２一覧印刷コマンドＣＭＤ２）により、隠しキャラクタを含めて印刷することができるため、製造工程やソフト開発工程において、単にキャラクタが正常に記憶されているか否かのチェックだけではなく、実際の印刷結果についてもチェックを行うことができる。
【００４３】
なお、本実施形態では、記号や図柄のキャラクタをカテゴリ毎に一覧印刷する様子について説明しているが、これに限らず、漢字や英数字のキャラクタをカテゴリに分類し、この分類したカテゴリ毎に一覧印刷することも可能である。
【００４４】
例えば、漢字のキャラクタ一覧を印刷する場合、大カテゴリ５１を「漢字」カテゴリとし、この「漢字」カテゴリに大カテゴリ識別子５３「Ｋａｎｊｉ」を割り当てる。また、小カテゴリ５２を、「“第一水準漢字”、“第二水準漢字”、“にんべん”、“うかんむり“、・・・」等のカテゴリに分類し、これら各々に小カテゴリ識別子５４（０１〜ＸＸ）を割り当てる。これにより、一覧印刷コマンドＣＭＤを用いて、「Ｋａｎｊｉ０１（または、ＫａｎｊｉＴ０１）」と入力して、[一覧印刷]キー１６を押すことで、第一水準の漢字一覧を印刷することができる。
【００４５】
また、一覧印刷コマンドＣＭＤで、複数の小カテゴリ識別子５４を指定することで（例えば、「０１−０３」や「０１，０２，０３」等）、対象となるカテゴリに属するキャラクタ一覧（小カテゴリ識別子５４が０１、０２および０３のカテゴリに属するキャラクタ一覧）を続けて印刷するようにしても良い。また、大カテゴリ識別子５３（または、大カテゴリ識別子５３＋Ｔ）のみを指定することで、当該大カテゴリ識別子５３に対応するカテゴリに含まれる全てのキャラクタ一覧を印刷するようにしても良い。
【００４６】
なお、本実施形態のように、キャラクタ一覧を印刷するための「一覧印刷」キー１６を個別に設けるのではなく、一般的なキーボードと同様に、既存のキーとシフトキー等とを組み合わせて操作することで、「一覧印刷」キー１６と同様の機能を実現することも可能である。
【００４７】
また、上述した実施例によらず、テープ印刷装置１の装置構成や処理工程等について、本発明の要旨を逸脱しない範囲で、適宜変更も可能である。
【図面の簡単な説明】
【００４８】
【図１】本発明の一実施形態に係るテープ印刷装置の開蓋状態における外観斜視図である。
【図２】テープ印刷装置の制御ブロック図である。
【図３】カテゴリ分類テーブルの一例を説明する図である。
【図４】一覧印刷コマンドの一例およびキャラクタ一覧の印刷結果を説明する図である。
【図５】キャラクタ一覧を印刷する手順を示すフローチャートである。
【符号の説明】
【００４９】
１…テープ印刷装置  ５…表示画面  １５…[段落スタイル]キー  １６…[一覧印刷]キー  ２６…印刷ヘッド  ４４…ＣＧ−ＲＯＭ  ６３…カテゴリ名  ６５…文字サイズ  ＣＭＤ…一覧印刷コマンド  ＣＭＤ１…第１一覧印刷コマンド  ＣＭＤ２…第２一覧印刷コマンド  Ｎ…登録番号
【図１】
2010076121.tif 000003
【図２】
2010076121.tif 000004
【図３】
2010076121.tif 000005
【図４】
2010076121.tif 000006
【図５】
2010076121.tif 000007